(57)【要約】【課題】隠蔽情報の読み取りにともない手間が生じない隠蔽情報記録用積層シートとする。【解決手段】表面に情報が記録される情報記録用シート１０と、この裏面側に積層される基材シート１０とを有する。これら両シートは、折り線１３を挟んで一方の領域Ｘと他方の領域Ｙとに区画する。一方の領域Ｘにおいては、情報記録用シート１０周端部Ｘ１を剥離除去すると、基材シート２０周端部Ｘ１の表面に設けられた粘着剤層２３が露出する。折り線１３で内折りして粘着剤層２３を他方の領域Ｙの情報記録用シート１０表面に剥離不能に貼合すると、この貼合部Ｙ１で囲まれた隠蔽部Ｙ２に記録された情報が隠蔽される。貼合部Ｙ２の基材シート２０表面には接着剤層２５を設け、この接着剤層２５と情報記録用シート１０裏面とを剥離可能に擬似接着する。【選択図】図３
2008055822.tif 000002
【特許請求の範囲】
【請求項１】
表面に情報が記録される情報記録用シートと、この情報記録用シートの裏面側に積層される基材シートと、を有し、これら両シートは、折り線を挟んで一方の領域と他方の領域とに区画され、前記一方の領域においては、前記情報記録用シート周端部を剥離除去すると、前記基材シート周端部の表面に設けられた粘着剤層が露出し、前記折り線で内折りして前記露出した粘着剤層を前記他方の領域の情報記録用シート表面に剥離不能に貼合すると、この貼合部で囲まれた隠蔽部に記録された情報が隠蔽される、隠蔽情報記録用積層シートであって、
前記貼合部の基材シート表面と前記情報記録用シート裏面とが部分的に剥離可能に擬似接着している、ことを特徴とする隠蔽情報記録用積層シート。
【請求項２】
前記一方の領域の情報記録用シートは、周端部を含む全体が剥離除去されて情報記録片とされる、請求項１記載の隠蔽情報記録用積層シート。
【請求項３】
前記一方の領域の情報記録用シート全体を剥離除去すると、前記基材シートの周端部表面に設けられた粘着剤層が露出し、前記貼合部の基材シート表面に擬似接着層を介して貼合された情報記録部分と分離可能なシートが前記露出した粘着剤層と貼合され、擬似接着層で剥離可能となる、請求項２記載の隠蔽情報記録用積層シート。
【請求項４】
前記他方の領域は、前記貼合部より末端側が、前記一方の領域を折り重ねられず、情報記録用シート表面に公開情報が記録される公開部とされ、この公開部と前記貼合部との境界及びこの貼合部と前記隠蔽部との境界には、それぞれ切抜き線が形成されている、請求項１〜３のいずれか１項に記載の隠蔽情報記録用積層シート。
【発明の詳細な説明】
【技術分野】
【０００１】
本発明は、記録情報を特定人のみが知り得る状態に隠蔽でき、例えば、給与明細書や健康診断票、請求書などとして利用するに好適な、いわゆる封筒型の隠蔽情報記録用積層シートに関するものである。
【背景技術】
【０００２】
この種の隠蔽情報記録用積層シート（以下「積層シート」ともいう。）としては、例えば、特許文献１や特許文献２に示すものがある。この従来の積層シートは、表面に情報が記録される情報記録用シートと、この情報記録用シートの裏面側に積層される基材シートと、を有する。これら両シートは、折り線を挟んで一方の領域と他方の領域とに区画されている。そして、一方の領域においては、情報記録用シートの周端部を剥離除去すると、基材シート表面に設けられた粘着剤層が露出する。この積層シートにおいては、折り線で内折りし、露出した粘着剤層を他方の領域の情報記録用シート表面に剥離不能に貼合して、いわゆる封筒型にする。これにより、貼合部で囲まれた隠蔽部に記録された情報が、隠蔽される。
しなしながら、この従来の積層シートには、次の問題がある。
すなわち、この従来の積層シートは、貼合部の内側端縁あるいはそれよりも内方に切断線が形成されており、受取人等は、この切断線を切断して貼合部を切り取り（切り離し）、２つ折り状態を解除して記録された隠蔽情報を読み取ることになる。したがって、従来の積層シートによると、隠蔽情報の読み取りにともなって、ゴミが発生してしまい、その廃棄の手間がかかる。また、貼合部を切り取るにあたっては、切断線に沿って正確に切断されず、ときには隠蔽部の一部も貼合部とともに切り取られてしまう場合がある。この場合、たとえ読み取り自体はできるとしても、切取り部分を、そのままゴミとして廃棄するはできず、例えば、保存するにあたっては、切取り部分の全部あるいは情報の記録された一部を隠蔽部とつなぎ合わせる作業が必要になり、手間がかかる。
【特許文献１】特開２００２‐１７８６７２号公報
【特許文献２】特開２００５‐１５３１４９号公報
【発明の開示】
【発明が解決しようとする課題】
【０００３】
本発明が解決しようとする主たる課題は、隠蔽情報の読み取りにともない手間が生じない隠蔽情報記録用積層シートを提供することにある。
【課題を解決するための手段】
【０００４】
この課題を解決した本発明は、次のとおりである。
〔請求項１記載の発明〕
表面に情報が記録される情報記録用シートと、この情報記録用シートの裏面側に積層される基材シートと、を有し、これら両シートは、折り線を挟んで一方の領域と他方の領域とに区画され、前記一方の領域においては、前記情報記録用シート周端部を剥離除去すると、前記基材シート周端部の表面に設けられた粘着剤層が露出し、前記折り線で内折りして前記露出した粘着剤層を前記他方の領域の情報記録用シート表面に剥離不能に貼合すると、この貼合部で囲まれた隠蔽部に記録された情報が隠蔽される、隠蔽情報記録用積層シートであって、
前記貼合部の基材シート表面と前記情報記録用シート裏面とが部分的に剥離可能に擬似接着している、ことを特徴とする隠蔽情報記録用積層シート。
【０００５】
〔請求項２記載の発明〕
前記一方の領域の情報記録用シートは、周端部を含む全体が剥離除去されて情報記録片とされる、請求項１記載の隠蔽情報記録用積層シート。
【０００６】
〔請求項３記載の発明〕
前記一方の領域の情報記録用シート全体を剥離除去すると、前記基材シートの周端部表面に設けられた粘着剤層が露出し、前記貼合部の基材シート表面に擬似接着層を介して貼合された情報記録部分と分離可能なシートが前記露出した粘着剤層と貼合され、擬似接着層で剥離可能となる、請求項２記載の隠蔽情報記録用積層シート。
【０００７】
〔請求項４記載の発明〕
前記他の領域は、前記貼合部より末端側が、前記一方の領域を折り重ねられず、情報記録用シート表面に公開情報が記録される公開部とされ、この公開部と前記貼合部との境界及びこの貼合部と前記隠蔽部との境界には、それぞれ切抜き線が形成されている、請求項１〜３のいずれか１項に記載の隠蔽情報記録用積層シート。
【発明の効果】
【０００８】
本発明によると、隠蔽情報の読み取りにともない手間が生じない隠蔽情報記録用積層シートとなる。
【発明を実施するための最良の形態】
【０００９】
次に、本発明の実施の形態を説明する。
図１〜５に示すように、本形態の隠蔽情報記録用積層シート（以下「積層シート」ともいう。）１は、表面に情報が記録される情報記録用シート１０と、この情報記録用シート１０の裏面側に積層される基材シート２０と、から主になる。これら両シート１０，２０は、ミシン目線、折り筋線、低坪量線等からなる折り線１３，２８を挟んで一方の領域Ｘと他方の領域Ｙとに区画されている。
【００１０】
情報記録用シート１０は、紙等からなる長方形状のシート１１と、このシート１１の裏面全面に剥離剤が塗工される等して形成された剥離剤層１１と、から主になる。本情報記録用シート１０は、図示例とは異なり、シート１１の素材を情報記録可能なプラスチックフィルム等にして、剥離剤層１１が形成されていない形態とすることもできる。
【００１１】
一方、基材シート２０は、紙等からなる情報記録用シート１０と同形のシート２１と、このシート２１の表面に設けられた粘着剤が塗工される等して形成された粘着剤層２３，２６，２７及び接着剤が塗工される等して形成された接着剤層２５と、から主になる。
【００１２】
より具体的には、基材シート２０は、一方の領域Ｘが、幅方向両側端部及び前後方向一方端部の３辺からなる周端部Ｘ１と、この周端部Ｘ１に囲まれた対向部Ｘ２とに区画されており、周端部Ｘ１のシート２１表面に粘着剤層２３が設けられている。また、基材シート２０の他方の領域Ｙは、折り線２８を挟んで周端部Ｘ１と線対称の貼合部Ｙ１と、この貼合部Ｙ１に囲まれた隠蔽部Ｙ２と、貼合部Ｙ１より末端側であって前後方向他方端部の公開部Ｙ３とに区画されており、貼合部Ｙ１のシート２１表面に接着剤層２５が、隠蔽部Ｙ２のシート２１表面に粘着剤層２６が、公開部Ｙ３のシート２１表面に粘着剤層２７が、それぞれ設けられている。
【００１３】
以上のように、本形態の積層シート１は、情報記録用シート１０及び基材シート２０からなる２層のフラット構造とされているため、情報記録用シート１０の表面に、オフセット印刷機やグラビア印刷機、レーザープリンター（ＬＢＰ）、インクジェット印刷機、サーマル型印刷機等の印刷機によって情報を記録するについて、印刷機の走行性が極めてよい。
【００１４】
本形態の積層シート１は、通常、情報記録用シート１０表面の公開部Ｙ３に宛名等の公開情報が、隠蔽部Ｙ２に個人情報等の隠蔽情報が、対向部Ｘ２に隠蔽部Ｙ２の隠蔽情報と同一内容の控え情報や隠蔽部Ｙ２の隠蔽情報とは異なる隠蔽情報が、それぞれ印刷機等によって記録される。
【００１５】
また、この記録にともなって、あるいは前後して、情報記録用シート１０の、公開部Ｙ３と貼合部Ｙ１との境界及びこの貼合部Ｙ１と隠蔽部Ｙ２との境界には、それぞれスリットやミシン目等からなる切抜き線１４，１５が、それぞれ形成される。
【００１６】
さらに、この記録や切抜き線１４，１５の形成にともなって、あるいは前後して、貼合部Ｙ１における基材シート２０表面の接着剤層２５と情報記録用シート１０裏面の剥離剤層１７とを、剥離可能に接着剤で擬似接着する。擬似接着部（接着剤層２５と剥離剤層１７）は、通常の状態では接着しないが乾燥加工、加熱加工や加圧加工等の擬似接着加工をすると剥離可能に擬似接着する成分で構成されている。
【００１７】
ここで、本形態においては、対向部Ｘ２の基材シート２０表面に、接着剤層２５と同様の接着剤層を設けることができる。この形態によると、加熱加工や加圧加工等によって、当該接着剤層と情報記録用シート１０裏面の剥離剤層１７とが剥離可能に擬似接着することになる。したがって、対向部Ｘ２における情報記録用シート１０の基材シート２０からの浮き上がりが防止され、印刷機の走行性が一段とよくなる。もちろん、対向部Ｘ２における情報記録用シート１０及び基材シート２０は、剥離可能であるため、後述する情報記録片１０Ｘの剥離除去も可能である。
【００１８】
以上のようにして情報が記録される等した本形態の積層シート１は、図６及び図７に示すように、一方の領域Ｘにおいて、情報記録用シート１０の周端部を、図示例では周端部を含む全体１０Ｘを、基材シート２０から剥離（粘着剤層２３と剥離剤層１７との間で剥離が生じる。）して除去する。これにより、基材シート２０周端部Ｘ１の表面に設けられた粘着剤層２３が露出する。さらに、１０ＸのＸ２の部分と基材シート２０とを擬似接着させることによりシート間の密着性が向上しプリンターでの印字、搬送性等が向上する。
【００１９】
本形態においては、一方の領域Ｘにおける情報記録用シート１０の、周端部Ｘ１を含む全体１０Ｘを剥離除去する形態とした。この剥離除去する片１０Ｘは、例えば、情報記録片として利用することができる。この形態においては、情報記録片１０Ｘに、例えば、隠蔽部Ｙ２の隠蔽情報と同一内容の控え情報を、同一の印刷機で同時に記録する等の応用が可能である。なお、一方の領域Ｘにおける情報記録用シート１０の周端部Ｘ１のみを剥離除去する形態においては、通常、対向部Ｘ２に、隠蔽部Ｙ２の隠蔽情報とは異なる隠蔽情報が印刷機等によって記録される。
【００２０】
情報記録片１０Ｘの剥離除去を行った積層シート１は、図８及び図９に示すように、情報記録用シート１０及び基材シート２０を折り線１３，２８で内折りして、露出した粘着剤層２３を他方の領域Ｙの情報記録用シート１０表面に、より詳細には貼合部Ｙ１に、剥離不能に貼り合わせる。これにより、貼合部Ｙ１で囲まれた隠蔽部Ｙ２に記録された情報が隠蔽され、読み取ることができなくなる。
【００２１】
本形態において、積層シート１の内折りは、他方の領域Ｙの公開部Ｙ３に一方の領域Ｘが重ならないように、つまり一方の領域Ｘの端縁１ａが他方の領域Ｙの公開部Ｙ３及び貼合部Ｙ２の境界線（１４）に沿うように、行われる。したがって、公開部Ｙ３に記録された公開情報は、読み取ることができる。
【００２２】
このようにして２つ折りされた積層シート１は、図１０〜１３に示すように、一方の領域Ｘを他方の領域Ｙから剥離し、２つ折り状態を解除するのみで、隠蔽部Ｙ２の隠蔽情報を読み取ることができる。したがって、ゴミが発生せず、また、隠蔽部Ｙ２が切断されてしまうというようなことも生じないため、隠蔽情報の読み取りにともない手間が生じない。
【００２３】
ここで、かかる一方の領域Ｘ及び他方の領域Ｙの剥離は、貼合部Ｙ１・周端部Ｘ１において擬似接着された接着剤層２５及び剥離剤層１７が剥離することで、行われる。つまり、情報記録用シート１０の貼合部Ｙ２部分は、基材シート２０の周端部Ｘ１に貼合したまま、一方の領域Ｘ側に移転することになる。この移転は、情報記録用シート１０の貼合部Ｙ２が切抜き線１４，１５で区画されていることから、容易になされる。
なお、接着剤層２５及び剥離剤層１７は、通常の状態では接着しないことから、一度剥離すると、再接着せず、開封したことが分かるようになっている。
【００２４】
〔その他〕
（１）各シート１１，２１の素材、厚さ等は、以上の例に限定されない。素材としては、例えば、クラフト紙、上質紙、グラシン紙、パーチメント紙、レーヨン紙、コート紙、合成紙、樹脂フィルムがラミネートされたシート等を例示することができる。これらの素材は、耐水処理を施すことにより雨に濡れた場合の耐久性が増す。また、環境保護の観点から各種再生紙を用いてもよい。ただし、資源の再利用という観点からは、樹脂フィルムがラミネートされたもの等は、避けるのが好ましい。
また、以上のうち各紙は、古紙を原料とする再生紙あるいはバージンパルプ原料とする非再生紙のいずれであってもよい。また、合成紙であってもよい。
各シート１１，２１の坪量は、特に限定されないが、隠蔽情報が反対面から透けて視認されない程度の不透明度を確保できること、郵送や取り扱いの利便性等を考慮すると３０〜２５０ｇ／ｍ2程度であるのが望ましいが、隠蔽性は地紋印刷等を付与することによる改善も可能であり、取り扱い性の面から４０〜２００ｇ／ｍ2の範囲が好適である。シート１１，２１の厚さは、例えば、通常５０〜３００μｍが好適である。
【００２５】
（２）接着剤層２５を形成する接着剤としては、一般的なホットメルト系接着剤、２液反応型接着剤、有機溶剤系接着剤、水系エマルジョンタイプの接着剤、ＵＶ硬化型接着剤等で、所定の圧を付与すると接着するが接着後にも剥離可能な感圧接着剤や、所定の熱を付与すると接着するが接着後にも剥離可能な感熱接着剤、一定の応力で凝集破壊する接着剤、水分を付与すると接着するが接着後にも剥離可能な再湿接着剤等を、適宜選択して使用することができる。
これらの接着剤には、酸化防止剤、熱安定剤、紫外線吸収剤、スリップ剤、帯電防止剤、防曇剤、着色剤、フィラー等が添加されていてもよい。
【００２６】
（３）粘着剤層２３，２６，２７を形成する粘着剤としては、ゴム系粘着剤、アクリル系、シリコン系、ポリウレタン系、ポリエステル系、有機溶剤系、エマルジョン系、ホットメルト系、紫外線硬化型等の既知の粘着剤を用いることができる。ゴム系接着剤は分子量が大きく弾力性があるため、密着しやすい性質を有する。ゴム系粘着剤としては、例えば、主成分として天然ゴム、ポリイソプレンゴム、ポリイソブチレン、ポリブタジエンゴム、スチレン−ブタジエン−スチレンブロック共重合体、スチレン−イソプレン−スチレンブロック共重合体等の合成ゴムの中から選ばれた少なくとも１種を含有するものが挙げられる。ゴム系粘着剤には、老化防止剤等を混合させるのも好ましい形態である。
アクリル系粘着剤としては、主成分として、アクリル酸エステル単独重合体、アクリル酸エステル単位２種以上を含む共重合体及びアクリル酸エステルと他の官能性単量体との共重合体の中から選ばれた少なくとも１種を含有するものが挙げられる。前記アクリル酸エステルとしては、例えば（メタ）アクリル酸ブチルエステル、（メタ）アクリル酸ペンチルエステル、（メタ）アクリル酸ヘキシルエステル、（メタ）アクリル酸ヘプチルエステル、（メタ）アクリル酸オクチルエステル、（メタ）アクリル酸ノニルエステル、（メタ）アクリル酸デシルエステル等が挙げられる。また、官能性単量体としては、例えば（メタ）アクリル酸ヒドロキシエチルエステル、（メタ）アクリル酸ヒドロキシプロピルエステル等のヒドロキシル基含有単量体、（メタ）アクリルアミド、ジメチル（メタ）アクリルアミド等のアミド基含有単量体、（メタ）アクリル酸等のカルボン酸基含有単量体等が挙げられる。ここで、アクリル系粘着剤を用いるのであれば、リサイクル処理における離解工程や再生工程において、不都合をもたらさないようにすべく、アルカリ可溶性、水溶性又は水再分散性を有するものを用いるのが望ましい。
また、粘着剤には、所望に応じて粘着付与剤、架橋剤、充填剤等が配合される。粘着付与剤としては、例えばロジン系樹脂、ポリテルペン系樹脂等の天然樹脂、Ｃ５系、Ｃ９系、ＤＣＰＤ系石油樹脂、クマロンインデン樹脂、キシレン樹脂等の合成樹脂等が挙げられる。架橋剤としては、ポリイソシアネート化合物、エポキシ樹脂、メラミン樹脂、尿素樹脂、金属キレート化合物、金属塩等が挙げられる。
【００２７】
（４）接着剤層２５や粘着剤２３，２６，２７の厚さは、特に限定はされないが、通常２〜５０μｍ、好ましくは４〜２５μｍである。接着剤層２５や粘着剤２３，２６，２７の厚さを薄くすると、印刷記録する場合において、カット紙とする場合は給紙枚数が増え、連続紙とする場合は質量減少によって印刷機の負荷が減少する。
接着剤層２５や粘着剤２３，２６，２７は、接着剤や粘着剤を、例えば、塗布・塗工等することによって形成することができ、この塗布・塗工は、例えば、エアナイフコーター、ブレードコーター、ロッドメタリングコーター、カーテンコーター、ロールコーター等の従来各種塗工機を応用してパターン塗工できる方法を採用することができる。また、模様印刷あるいはベタ印刷によって接着剤や粘着剤の塗布量や塗布分布を適宜調整することが容易であることから、オフセット印刷、グラビア印刷、凸版印刷、孔版印刷等各種印刷による印刷塗工を採用することもできる。
接着剤や粘着剤の塗布・塗工量としては、用いる接着剤・粘着剤の種類により適宜変更可能であるが、固形部質量で通常５〜５０ｇ／ｃｍ2、好適には１０〜３０ｇ／ｃｍ2である。
【００２８】
（５）剥離剤層１７を形成する剥離剤は、剥離性を発現するものであれば特に限定されず、例えば、シリコン、長鎖アルキルポリマー、ポリオレフィン、アルキド樹脂、フッ素化合物等を挙げることができる。
剥離剤層１７は、接着剤層２５の形成と同様に、例えば、剥離剤を塗布・塗工等することによって形成することができる。
剥離剤の塗布・塗工量としては、用いる剥離剤の種類により適宜変更可能であるが、固形部質量で０．１〜１０ｇ／ｃｍ2である。
【００２９】
（６）接着剤層２５及び剥離剤層１７の擬似接着力（剥離強度）は、ＪＩＳ  Ｚ  ０２３７の１０にある１８０度引きはがし粘着力の測定で、３〜２５Ｎ／５０ｍｍとなるようにするのが好適である。
【産業上の利用可能性】
【００３０】
本発明は、記録情報を特定人のみが知り得る状態に隠蔽でき、例えば、給与明細書や請求書などとして利用するに好適な、いわゆる封筒型の隠蔽情報記録用積層シートとして、適用可能である。
【図面の簡単な説明】
【００３１】
【図１】情報記録用シートの平面図である。
【図２】基材シートの平面図である。
【図３】積層シートの平面図である。
【図４】図３のＡ−Ａ線矢視図である。
【図５】図３のＢ−Ｂ線矢視図である。
【図６】情報記録片を剥離除去した積層シートの平面図である。
【図７】図６のＣ−Ｃ線矢視図である。
【図８】２つ折りした積層シートの平面図である。
【図９】図８のＤ−Ｄ線矢視図である。
【図１０】２つ折りを解除した積層シートの平面図である。
【図１１】図１０のＥ−Ｅ線矢視図である。
【図１２】図１０のＦ−Ｆ線矢視図である。
【符号の説明】
【００３２】
１…積層シート、１０…情報記録用シート、１１，２１…シート、１３，２８…折り線、１４，１５…切取り線、１７…剥離剤層、２０…基材シート、２３，２６，２７…粘着剤層、２５…接着剤層、Ｘ…一方の領域、Ｘ１…周端部、Ｘ２…対向部、Ｙ…他方の領域、Ｙ１…貼合部、Ｙ２…隠蔽部、Ｙ３…公開部。
【図１】
2008055822.tif 000003
【図２】
2008055822.tif 000004
【図３】
2008055822.tif 000005
【図４】
2008055822.tif 000006
【図５】
2008055822.tif 000007
【図６】
2008055822.tif 000008
【図７】
2008055822.tif 000009
【図８】
2008055822.tif 000010
【図９】
2008055822.tif 000011
【図１０】
2008055822.tif 000012
【図１１】
2008055822.tif 000013
【図１２】
2008055822.tif 000014
【手続補正書】
【提出日】平成19年6月28日(2007.6.28)
【手続補正１】
【補正対象書類名】明細書
【補正対象項目名】００１０
【補正方法】変更
【補正の内容】
【００１０】
情報記録用シート１０は、紙等からなる長方形状のシート１１と、このシート１１の裏面全面に剥離剤が塗工される等して形成された剥離剤層１７と、から主になる。本情報記録用シート１０は、図示例とは異なり、シート１１の素材を情報記録可能なプラスチックフィルム等にして、剥離剤層１７が形成されていない形態とすることもできる。